(57)【要約】【課題】地上デジタル放送の難視聴対策としてのセーフティネットを受信するに際し、ＢＳによる再送信により生じる操作性の混乱や不具合を改善する。【解決手段】デジタル受信装置は、チューナ１６で選局を行うために使用する選局情報を予め保持しておく。この選局情報では、デジタル放送の難視聴地域に対するＢＳによる再送信サービスを地上デジタル放送のサービスとして記憶する。これにより、リモコン１０に対して選局を指示する操作入力を行う際に、ＢＳによる再送信サービスを、地上デジタル放送のサービスとして選局指示できるようする。また、選局情報を用いて電子番組表を表示させる際にも、ＢＳによる再送信サービスを地上デジタルの電子番組表として表示させる。【選択図】図１
2010130640.tif 000002
【特許請求の範囲】
【請求項１】
受信したデジタル放送を選局する選局手段と、該選局手段によって選局を行うために使用する選局情報を保持する選局情報記憶部と、ユーザによる操作入力を受け付けるユーザ操作手段とを備えたデジタル放送受信装置であって、
前記選局情報記憶部は、デジタル放送の難視聴地域に対するＢＳによる再送信サービスを地上デジタル放送のサービスとして記憶し、前記ユーザ操作手段に対して選局を指示する操作入力を行う際に、前記ＢＳによる再送信サービスを、地上デジタル放送のサービスとして指示できるようにしたことを特徴とするデジタル放送受信装置。
【請求項２】
請求項１に記載のデジタル放送受信装置において、前記選局情報記憶部に記憶する選局情報を作成する際に、受信したデジタル放送のＮＩＴに含まれるＴＳ＿ｉｄで放送サービスを地上デジタル放送による放送サービスとして前記選局情報記憶部に記憶させることを特徴とするデジタル放送受信装置。
【請求項３】
請求項１に記載のデジタル放送受信装置において、前記選局情報記憶部に記憶する選局情報を作成する際に、受信したデジタル放送のＮＩＴに含まれるＴＳ＿ｉｄの下位より８ビットめから５ビットめ（１１−９）で放送サービスを地上デジタル放送による放送サービスとして前記選局情報記憶部に記憶させることを特徴とするデジタル放送受信装置。
【請求項４】
請求項１に記載のデジタル放送受信装置において、前記選局情報記憶部に記憶する選局情報を作成する際に、受信したデジタル放送のＮＩＴに含まれるＴＳ＿ｉｄの下位より８ビットめから５ビットめ（１１−９）が「００１」である放送サービスを地上デジタル放送による放送サービスとして前記選局情報記憶部に記憶させることを特徴とするデジタル放送受信装置。
【請求項５】
請求項１〜４のいずれか１に記載のデジタル放送受信装置において、前記放送受信手段で受信したデジタル放送の放送サービスに関する番組情報を記憶する番組情報記憶部と、該番組情報記憶部に記憶した番組情報から電子番組表を生成する電子番組表生成手段とを有し、
該電子番組表生成手段は、前記ユーザ操作手段に対して電子番組表を表示させる操作入力が行われた際に、前記選局情報記憶部に記憶した選局情報に従って前記ＢＳによる再送信サービスを地上デジタル放送のサービスとして認識し、該再送信サービスの電子番組表を地上デジタル放送の電子番組表として表示させることを特徴とするデジタル放送受信装置。
【発明の詳細な説明】
【技術分野】
【０００１】
本発明は、デジタル放送受信装置に関し、より詳細には、難視聴地域に対する地上デジタル放送の再送信に対応したデジタル放送受信装置に関する。
【背景技術】
【０００２】
日本国内の衛星放送で使用できる周波数帯域は、昭和５２年の世界無線通信主管庁会議にて１１．７２〜１２．００ＧＨｚ帯（第１，３，５，７，９，１１，１３，１５の計アナログ８チャンネル）が割り当てられ、さらに平成１２年の世界無線通信会議にて、当チャンネルのデジタル８チャンネルと１２．００〜１２．２０ＧＨｚ帯（第１７，１９，２１，２３の計４チャンネル）の計デジタル１２チャンネルが割り当てられた。
【０００３】
現在は、このうち第１，３，９，１３，１５の５つのトランスポンダ（トラポン）をＢＳ（Broadcasting Satellite）デジタル放送で使用しており、第５，７，１１トラポンをアナログ放送で使用している。また、２００９年度内には、第１７トラポンが地上デジタル放送の難視視聴対策としてＢＳを使用した地上デジタル放送の再送信（セーフティネット）が行われる予定になっている。このような難視聴対策は、地上アナログ放送から地上デジタル放送への移行に際し、設置された放送局のアンテナの位置によっては、地上デジタル放送が受信できないか、もしくは受信状況が良好でない地域（難視聴地域）が存在してしまい、その難視聴地地域に対して、ＢＳを使用して地上デジタル放送を再送信しようとするものである。
【０００４】
セーフティネットは、難視聴地域の住民を対象としており、対象世帯からの届け出により、有料放送と同じ手段でＢ−ＣＡＳ（BS Conditional Access Systems）カードによってスクランブルが解かれて視聴可能となる。Ｂ−ＣＡＳカードには、放送時にスクランブル処理されたＴＳパケットをデスクランブル処理するための契約情報が記録されている。この対策により、難視聴地域の人々は市販の受信機でセーフティネットが視聴可能となる。難視聴地域に該当しない一般の人々は市販の受信機でセーフティネットを視聴できない。
【０００５】
例えば、非特許文献１には、図３の表４０のように、トランスポートストリーム識別（transport_stream_id、以降、ＴＳ＿ｉｄと記載）割り当てについて記載されている。
なお、表４０において、ＴＭＣＣ信号とは、Transmission and Multiplexing Configuration Control信号（伝送多重制御信号）を指す。また、（注１）としては、「２００７年１２月１日から９チャンネルの使用を開始する」旨が記載されている。（注２）としては、「５、７、１１チャンネルについてはアナログ放送の終了に伴い、デジタル放送に使用することを想定した。」旨が記載されている。（注３）としては、「ｂｉｔ（８）は「０」とする。ただし、さらにチャンネルの追加があり、これに対し、同一のネットワークＩＤ（network_id）で運用することになった場合、ｂｉｔ（８）を「１」とし、ｂｉｔ（７−４）と合わせてチャンネル番号を示すものとする。」旨が記載されている。
【０００６】
なお、非特許文献１では、表４０に対し、「０ｘ００００及び０ｘＦＦＦＦはＴＳ＿ｉｄとして割りつけないこととする。将来、例えばあるＴＳが送信される中継器が変更になったような場合などは、ＩＤの値は上記ルールに従って変更になるが、受信機の初期設定に必要なデフォルトＴＳのＩＤ（０ｘ４０ｆ１及び０ｘ４０ｆ２）は変更しない。メーカ間において、受信機の初期設定に必要なデフォルトＴＳのＩＤの統一をはかり、ＴＲに掲載することが望ましい。」旨の記載もなされている。
【０００７】
デジタル放送受信装置として、特許文献１には、単純に周波数変換をして再送信されたデジタル放送を電子番組ガイド、ＰＡＴあるいはＮＩＴ等によって番組選局するようにしたデジタル放送受信装置開示されている。ここでは、ＮＩＴで記述されているデジタル放送のトランスポートストリームの番号と送信周波数情報および再送信された周波数である受信周波数情報を記憶する記憶手段の情報を基に、デジタル放送受信装置の制御部がチューナ部を制御する。
【特許文献１】特開２０００−３３３１３６号公報
【非特許文献１】「ＢＳ／広帯域ＣＳデジタル放送運用規定技術資料    ＡＲＩＢ  ＴＲ−Ｂ１５  ４．０版」、社団法人  電波産業会、平成１９年５月２９日策定
【発明の開示】
【発明が解決しようとする課題】
【０００８】
テレビ装置のようなデジタル放送受信装置には、その操作手段としてリモコンが用いられている。図１２は、リモコンの操作ボタンの例を概略的に示すものである。リモコン１０には、ワンタッチボタン１０ａが備えられていて、ワンタッチボタン１０ａをユーザが操作することにより、そのワンタッチボタン１０ａに割り当てられている放送サービスを選局できるようになっている。リモコン１０では、操作されたワンタッチボタン１０ａに対応した操作信号をデジタル放送受信装置に送信し、デジタル放送受信装置ではその操作信号を受信して解析し、操作信号により指示された放送サービスをチューナに設定して選局するようにしている。
【０００９】
ここでリモコン１０では、受信モードごとにワンタッチボタン１０ａに対する選局チャンネルが割りてられている。受信モードとしては、例えば、地上デジタル（地上Ｄ）、ＢＳ、ＣＳの３つの受信モードが設定され、放送切り替えボタン１０ｂによって受信モードを任意に切り替え可能になっている。そして、ワンタッチボタン１０ａをユーザが操作した場合、現在選択されている受信モードに応じてワンタッチボタン１０ａに割り当てられた放送サービスが選局されるようになっている。ワンタッチボタン１０ａの数は１２個であって、リモコン１０では、受信モードごとに１２種類の放送サービスをワンタッチボタン１０ａに割り当てることができるようになっている。
【００１０】
図１３は、従来のデジタル放送受信装置におけるネットワークの判定処理例を説明するためのフローチャートである。デジタル放送受信装置では、受信した放送信号のＮＩＴから選局を行うための情報を取得する。ここで、放送サービスのネットワークＩＤ（ｎｅｔｗｏｒｋ＿ｉｄ）が“４”であるか否かを判別する（ステップＳ４１）。ネットワークＩＤが“４”であれば、受信モードをＢＳとして判定する。一方、ネットワークＩＤが“４”でない場合には、さらにネットワークＩＤが“６”または“７”であるかどうかを判定する（ステップＳ４３）。
【００１１】
ここでネットワークＩＤが“６”または“７”である場合には、受信モードをＣＳとして判定し（ステップＳ４４）、“６”または“７”でなければ、さらにネットワークＩＤが０ｘ７Ｂ００以上で０ｘ７ＦＦ０以下であるかどうかを判定する（ステップＳ４５）。ネットワークＩＤが０ｘ７Ｂ００以上で０ｘ７ＦＦ０以下であれば、受信モードを地上として判定し（ステップＳ４６）、そうでなければ、その放送サービスの受信モードは不明ということになる（ステップＳ４７）。
このように従来のデジタル放送受信装置では、ＮＩＴから取得したネットワークＩＤによって、放送サービスの受信モード（ＢＳ，ＣＳ，地上）を一律に判定していた。つまり、地上デジタルの再送信であるセーフティネットであっても、ネットワークＩＤに基づいてＢＳとして判定されていた。
【００１２】
図１４は、従来のワンタッチボタンへの放送サービスの割り当て例を示す図で、受信モード（地上Ｄ，ＢＳ，ＣＳ）ごとにワンタッチボタンの番号（単タッチ番号）と、そのワンタッチボタンに割り当てたサービスＩＤとを示すものである。ワンタッチボタンに割り当てられたサービスＩＤは、デジタル放送に割り当てられた３桁の番号である。
上記のような難視聴対策としてのセーフティネットが実施された場合に、難視聴地域では地上デジタル放送が受信できないため、地上Ｄの受信モードでリモコンのワンタッチボタンに割り当てられるサービスＩＤはなく、地上Ｄにおけるワンタッチキーは全て空いている。また、ＣＳについては、現在提供されているサービスがＣＳモードのワンタッチボタンに割り当てられている。
【００１３】
リモコン１０のＢＳの受信モードに応じたワンタッチボタン１０ａには、すでに１２の放送サービスが割り当てられて埋まっている。これは、現在すでにＮＨＫと民放にて、サービスＩＤ“１０１”，“１０２”，“１０３”，“１４１”，“１５１”，“１６１”，“１７１”，“１８１”，“１９１”，“２００”，“２１１”，“２２２”のＢＳデジタル放送サービスが提供されているためである。
つまり、セーフティネットによりＢＳによる地上デジタル放送の再送信が実施されたとしても、ＢＳの受信モードにおけるワンタッチボタンには、セーフティネットのサービスを割り当てることができなくなってしまう。
【００１４】
また、デジタル放送から電子番組表（ＥＰＧ；Electric Program Guide）を取得して表示する場合にも、セーフティネットがＢＳによる再送信であるため、再送信されている番組が地上デジタル放送の番組であるにもかかわらず、ＢＳの番組表として表示されてしまい、操作性の観点で不具合が生じる。
【００１５】
特許文献１には、地上デジタル放送の物理チャンネルを変換して再送信するシステムに関する受信装置が開示されている。ここでは、送信側で信号に手を加えないため、受信機側で受信した周波数を記憶し、ＮＩＴに記載された周波数情報を使用せずに、受信したときに記憶した周波数を選局時に利用しようとするものである。
特許文献１の技術は、送信側では信号に手を加えず、周波数のみを変換して再送信するシステムに適用するものであり、上記のように、送信側で信号に手を加え、地上デジタルをＢＳの信号として再送信するシステムに適用できるものではない。
【００１６】
本発明は、上述のごとき実情に鑑みてなされたものであり、地上デジタル放送の難視聴対策としてのセーフティネットを受信するに際し、ＢＳによる再送信により生じる操作性の混乱や不具合を改善したデジタル放送受信装置を提供することを目的とするものである。
【課題を解決するための手段】
【００１７】
上記課題を解決するために、本発明の第１の技術手段は、受信したデジタル放送を選局する選局手段と、選局手段によって選局を行うために使用する選局情報を保持する選局情報記憶部と、ユーザによる操作入力を受け付けるユーザ操作手段とを備えたデジタル放送受信装置であって、選局情報記憶部が、デジタル放送の難視聴地域に対するＢＳによる再送信サービスを地上デジタル放送のサービスとして記憶し、ユーザ操作手段に対して選局を指示する操作入力を行う際に、前記ＢＳによる再送信サービスを、地上デジタル放送のサービスとして指示できるようにしたことを特徴としたものである。
【００１８】
第２の技術手段は、第１の技術手段において、選局情報記憶部に記憶する選局情報を作成する際に、受信したデジタル放送のＮＩＴに含まれるＴＳ＿ｉｄで放送サービスを地上デジタル放送による放送サービスとして選局情報記憶部に記憶させることを特徴としたものである。
【００１９】
第３の技術手段は、第１の技術手段において、選局情報記憶部に記憶する選局情報を作成する際に、受信したデジタル放送のＮＩＴに含まれるＴＳ＿ｉｄの下位より８ビットめから５ビットめ（１１−９）で放送サービスを地上デジタル放送による放送サービスとして選局情報記憶部に記憶させることを特徴としたものである。
【００２０】
第４の技術手段は、第１の技術手段において、選局情報記憶部に記憶する選局情報を作成する際に、受信したデジタル放送のＮＩＴに含まれるＴＳ＿ｉｄの下位より８ビットめから５ビットめ（１１−９）が「００１」である放送サービスを地上デジタル放送による放送サービスとして選局情報記憶部に記憶させることを特徴としたものである。
【００２１】
第５の技術手段は、第１〜４のいずれか１の技術手段において、放送受信手段で受信したデジタル放送の放送サービスに関する番組情報を記憶する番組情報記憶部と、番組情報記憶部に記憶した番組情報から電子番組表を生成する電子番組表生成手段とを有し、電子番組表生成手段は、ユーザ操作手段に対して電子番組表を表示させる操作入力が行われた際に、選局情報記憶部に記憶した選局情報に従ってＢＳによる再送信サービスを地上デジタル放送のサービスとして認識し、再送信サービスの電子番組表を地上デジタル放送の電子番組表として表示させることを特徴としたものである。
【発明の効果】
【００２２】
本発明によれば、地上デジタル放送の難視聴対策としてのセーフティネットを受信するに際し、ＢＳによる再送信により生じる操作性の混乱や不具合を改善することができる。
【発明を実施するための最良の形態】
【００２３】
本発明に係るデジタル放送受信装置は、デジタル放送を受信する放送受信手段を備え、そのデジタル放送から音声または映像及び音声やデータを出力可能な装置であればよく、例えば、デジタルテレビ装置、レコーダ、チューナ、ＳＴＢ（Set Top Box）、デジタルラジオ受信装置などの様々な機器が適用できる。
【００２４】
以下、本発明に係るデジタル放送受信装置として、デジタルテレビ装置（以下、単に「テレビ装置」という）を挙げて説明するが、他の機器にも同様の説明が適用できる。例えば、レコーダ、チューナ、ＳＴＢなど映像表示装置を備えず映像表示装置に接続する機器では、以下の説明において、映像表示装置への映像信号の出力で処理を終了させればよい。また、デジタルラジオ装置等の映像出力を行わない機器は、以下のテレビ装置において映像信号の受信・表示に関する部位の説明を除いた機器に相当する。また、映像出力を行わない機器でのメニュー画像や番組情報等の表示は、具備された表示窓等の表示部に行えばよい。さらに、以下の説明では、放送受信手段が、ＢＳデジタル放送を受信可能な構成をもち、ＢＳデジタル放送を利用した地上デジタル放送の再送信も受信可能とする。
【００２５】
図１は、本発明の一実施形態に係るテレビ装置の一構成例を示すブロック図で、図中、１はテレビ装置、１０はリモコンである。図１で例示するテレビ装置１は、キー入力処理部１１、メニュー処理部１２、選局処理部１３、ＥＰＧ情報処理部１４、ＳＮ受信設定部１５、チューナ１６、デマルチプレクサ（ＤＥＭＵＸ）１７、映像音声処理部１８、映像出力部１９、及び音声出力部２０を備えている。なお、各部の一部、例えばメニュー処理部１２、選局処理部１３、及びＥＰＧ情報処理部１４（及びＳＮ受信設定部１５）などは１つのシステムマイコンなどとして構成してもよい。また、テレビ装置１は、映像出力部１９に接続された映像表示装置と音声出力部２０に接続されたスピーカとを備えるものとする（図示せず）。
【００２６】
リモコン１０は、上述の図１２に示すような構成を持ち、ダイレクトに選局を行うためのワンタッチボタン（ダイレクト選局ボタン）１０ａと、受信モードを切り替えるための放送切り替えボタン１０ｂを備えている。放送切り替えボタン１０ｂとしては、ＢＳ、ＣＳ、地上Ｄ（地上デジタル）のボタンが備えられ、各ボタンを操作することにより、そのボタンに応じた受信モードが選択される。そしてワンタッチボタン１０ａを操作すると、選択されている受信モードに応じて設定されている放送サービスが選局される。
【００２７】
この他リモコン１０には、電源ボタン１０ｃ、方向ボタン１０ｄ、決定ボタン１０ｅなどが備えられる。さらにリモコン１０には、テレビ装置１の各種設定を行うメニュー画面を表示させるメニューボタン、ＥＰＧを表示させるためのＥＰＧボタン、ワンタッチボタンの番号に対応するダイレクト選局ボタン（チャンネルボタン）、３桁チャンネル番号に対応した放送サービス（放送チャンネル）をＵＰ／ＤＯＷＮにより選局するＵＰ／ＤＯＷＮ選局ボタン、３桁チャンネル番号の入力を開始するための３桁入力ボタン個別の番組情報を表示させるための番組情報ボタン、入力ソースを切り替える入力切換ボタン等の各種ボタン（キー）などを備えることができる（いずれも図示せず）。
【００２８】
リモコン１０は、テレビ装置１のユーザによって操作され、テレビ装置１に対してその操作に対応した操作信号を送信する。リモコン１０による操作信号はキー入力処理部１１に具備される受信部で受信される。キー入力処理部１１は、受信した操作信号を解析し操作信号に対応した制御信号を、メニュー処理部１２、選局処理部１３、及びＥＰＧ情報処理部１４のいずれかまたは複数に出力する。
【００２９】
リモコン１０及びキー入力処理部１１は、放送受信手段で受信するデジタル放送に対して選局操作及び番組情報（個別の番組情報やＥＰＧ）の表示操作を、ユーザから受け付けるユーザ操作手段の一例である。テレビ装置１に具備されるユーザ操作手段の他の例としては、テレビ装置１の本体に取付けられているキー又はボタン等が挙げられる。このキー又はボタン等は、リモコン１０及びキー入力処理部１１と併設してもよい。
【００３０】
メニュー処理部１２は、ユーザがリモコン１０のメニューボタンを押下することにより、その制御信号をキー入力処理部１１から受信する。そして、メニュー処理部１２は、その制御信号に応じて映像出力部１９に対してメニュー画像のＯＳＤ（On Screen Display）表示を指示する。メニュー処理部１２は、メニュー画像によるメニュー画面の表示後、その表示を終了させるまで、リモコン１０からの操作信号に対応した制御信号を受信し、メニュー画像の変更、及び各種設定値の変更などの処理を行う。設定値は、メニュー処理部１２の内部又は外部に設けられたＥＥＰＲＯＭ（Electrically Erasable and Programmable Read Only Memory）等の不揮発性メモリに、書き換え可能に格納しておけばよい。
【００３１】
選局処理部１３は、ユーザがリモコン１０のワンタッチボタン、ＵＰ／ＤＯＷＮ選局ボタン、３桁入力ボタン及び数字ボタンなどの操作により、視聴したい放送サービスを特定した場合に、その放送サービスのチャンネル番号を示す制御信号をキー入力処理部１１から受信する。そして、選局処理部１３は、その制御信号に応じたサービスＩＤ（ｓｅｒｖｉｃｅ＿ｉｄ）へ変換する。
【００３２】
選局処理部１３は、予めＮＩＴ（network information table）より取得し内部メモリに記憶しておいたサービスＩＤと周波数、ＴＳ＿ｉｄ等との対応関係を示す選局情報から、ユーザ操作により指示のあったサービス番号の周波数、ＴＳ＿ｉｄを求め、求めた周波数とＴＳ＿ｉｄをチューナ１６にセットする。これによって、セットしたＴＳ＿ｉｄのトランスポートストリーム（ＴＳ）信号がチューナ１６より出力される。すると、後述するＰＳＩ（Program Specific Information）がＤＥＭＵＸ１７から選局処理部１３に出力され、選局すべきサービスＩＤに関する音声ストリーム及び映像ストリームを指定するための情報が得られる。この値でＤＥＭＵＸ１７を設定することで映像音声処理部１８へ、選局すべきｓｅｒｖｉｃｅ＿ｉｄに関する音声ストリーム及び映像ストリームが出力される。選局処理部１３は、これに伴った処理のスタート／ストップを映像音声処理部１８へ指示することや、映像、音声の出力する／しないを映像出力部１９、音声出力部２０に指示を行う。選局情報を記憶する内部メモリは、本発明の選局情報記憶手段に該当する。
【００３３】
チューナ１６は、例えば周波数変換器を備えたアンテナ（図示せず）に接続されている。アンテナは、ＢＳからＴＳパケット形式で放送されるデジタル放送信号を受信して、周波数変換した信号をチューナ１６に出力する。チューナ１６は、復調回路、逆インタリーブ回路、誤り訂正回路等を備えており、映像・音声等のデータを含む高周波デジタル変調信号のうちから特定周波数（特定の伝送チャンネル）の指定したＴＳ信号を取り出す処理を実行する。また、ＢＳデジタル放送での地上デジタル放送の再送信もこの放送受信手段で同様に受信できる。選局処理部１３及びチューナ１６は、本発明の選局手段に該当する。
【００３４】
ＤＥＭＵＸ１７は、チューナ１６から出力されたＭＰＥＧ（Moving Picture Experts Group）−２のＴＳパケットのストリームを、映像（ビデオ）ストリーム、音声（オーディオ）ストリーム、データストリーム、制御ストリームに分離する。ＤＥＭＵＸ１７は、選局処理部１３からの指示に従って、指定されたｓｅｒｖｉｃｅ＿ｉｄの音声ストリーム及び映像ストリームを映像音声処理部１８に出力する。音声ストリーム及び映像ストリームの指定については、非特許文献１に記載されているので省略する。
【００３５】
データストリームは、ＳＩ（Service Information）のＴＳパケットでなり、このうち主としてＥＰＧ画像を生成するために用いる番組情報は、主にＥＩＴ（Event Information Table）のＴＳパケットとして受信される。
ここでＢＳデジタル放送の場合、全放送局の番組情報がＳＩに含まれ、再送信ではない通常の地上デジタル放送の場合、各放送局の番組情報がＳＩに含まれる。また、制御ストリームは、ＰＳＩのＴＳパケットとして受信される。ＤＥＭＵＸ１７は、データストリームをＥＰＧ情報処理部１４に出力し、制御ストリームを選局処理部１３に出力する。
【００３６】
ＰＳＩには上記のＮＩＴも含まれ、さらには、映像音声処理部１８で処理すべきＴＳパケットの特定情報が含まれる。ＳＩ内の情報は、主にＥＰＧを表示するために使用するためＥＰＧ情報処理部１４で利用される。なお、制御ストリーム及びデータストリームは、まとめてＰＳＩ／ＳＩと呼ぶこともある。ＰＳＩ／ＳＩのＴＳパケットはデスクランブル処理を施す必要がないため、ＤＥＭＵＸ１７の後段でＢ−ＣＡＳカードの契約情報に拘わらずそのＴＳパケット内の情報を取得し使用することができる。
【００３７】
ＥＰＧ情報処理部１４は、ユーザがリモコン１０でＥＰＧボタンを押下するなどのＥＰＧ画像表示操作を行うことにより、その制御信号をキー入力処理部１１から受信する。そして、ＥＰＧ情報処理部１４は、その制御信号に応じてＳＩから番組情報を得て、全放送サービス分の番組情報からＥＰＧ画像を生成し、映像出力部１９に対してＥＰＧ画像のＯＳＤ表示を指示する。テレビ装置１のようにＢＳデジタル放送が受信可能な構成では、上述のごとく難視聴地域であるか否かに拘わらず地上デジタル放送の再送信に対してもこのＯＳＤ表示が可能となる。
また、ＥＰＧ情報処理部１４は、ＥＰＧ画像によるＥＰＧ画面の表示後、その表示を終了させるまで、リモコン１０からの操作信号に対応した制御信号を受信し、録画予約処理（但しテレビ装置１に録画装置が具備されるか接続される場合）や視聴予約処理をはじめ、ＥＰＧ画像の変更処理などの処理を行う。
【００３８】
番組情報を取得するために、ＥＰＧ情報処理部１４は番組情報用のデコーダを有する。そして、ＥＰＧ情報処理部１４は、チューナ１６からＤＥＭＵＸ１７経由で出力されるＴＳパケットのうちＳＩのＥＩＴに関するＴＳパケットを取り込み、番組情報用のデコーダでデコードして、内部メモリに蓄積する。ＢＳデジタル放送の場合、全ての放送サービスの番組情報が一度に送信されているため、一度に全番組情報を内部メモリに蓄積できる。このように全放送サービス分蓄積された番組情報を、以下、ＥＰＧデータベース（ＥＰＧ ＤＢ）と呼ぶ。このＥＰＧ ＤＢは例えば一日単位で書き換えられる。１つのＥＩＴには、１サービスＩＤに関する一定期間に放送される番組の情報が記載され、さらに、該当のサービスＩＤに対応するＴＳ＿ｉｄの値も記載されている。このＴＳ＿ｉｄの値についてもＥＰＧ ＤＢに蓄積する。
【００３９】
また、ＥＰＧ情報処理部１４は、個別の番組情報を表示させるための番組情報ボタンの押下に応じた処理として、ＢＳデジタル放送の場合には、ＳＩから直接、或いはＥＰＧ ＤＢから、個別の番組情報を取り出す。ＥＰＧ情報処理部１４は、取り出した番組情報を映像出力部１９に出力すると共に、映像出力部１９に対して個別の番組情報画像のＯＳＤ表示を指示する。ＥＰＧ情報処理部１４は、本発明の電子番組表生成手段に該当し、ＥＰＧ ＤＢを記憶する内部メモリが、本発明の番組情報記憶部に該当する。
【００４０】
映像音声処理部１８は、例えばＭＰＥＧ−２用のビデオデコーダ（映像デコーダ）、オーディオデコーダ（音声デコーダ）、映像処理回路、音声処理回路等を内蔵している。映像音声処理部１８では、入力された音声のＴＳパケットストリームを音声デコーダでデコードして音声信号を生成し、音声処理回路で各種音声処理を施した後にその音声信号を音声出力部２０に出力する。音声出力部２０はその音声信号をＤ／Ａ変換し、例えば右（Ｒ）音のアナログ信号及び左（Ｌ）音のアナログ信号を生成して増幅して、スピーカに出力する。これによりスピーカから音声が発生する。
【００４１】
また、映像音声処理部１８では、入力された映像のＴＳパケットストリームを映像デコーダによりデコードして映像信号を生成し、映像処理回路で各種映像処理を施した後にその映像信号を映像出力部１９に出力する。この出力時には音声との同期を行うものとする。映像出力部１９は、映像音声処理部１８からの映像信号に基づいて映像表示装置に表示させる映像信号を生成する。そのため映像出力部１９は、例えばスケーラ、ＯＳＤ処理部、フレームメモリ等を内蔵しており、スケーリング、映像表示装置で表示可能な形式の映像信号（例えばコンポジット映像信号）への変換、ＯＳＤ画像の生成及び重畳などの処理を行い、映像表示装置へその映像信号を出力する。
【００４２】
ＯＳＤ処理部では、メニュー処理部１２、選局処理部１３、及びＥＰＧ情報処理部１４などからの指示に基づきＯＳＤ画像信号を生成し、映像音声処理部１８から入力された映像信号に重畳して映像表示装置に出力する。メニュー処理部１２からの指示には、メニュー画面の表示、その操作に応じた表示変更などの指示が含まれる。選局処理部１３からの指示には、選局された放送サービス（チャンネル）の番号の表示などの指示が含まれる。ＥＰＧ情報処理部１４からの指示には、ＥＰＧ画像や個別の番組情報を示す画像の生成、その操作に応じた画像の表示変更などの指示が含まれる。
【００４３】
Ｓ／Ｎ受信設定部１５は、本発明に係る実施形態の特徴となるセーフティネットの地上デジタルへの割り当て処理をＯＮ／ＯＦＦ設定するためのもので、ユーザの操作に応じてＯＮとＯＦＦを切り替えて設定することができる。難視聴地域のユーザは、Ｓ／Ｎ受信設定部をＯＮにし、難視聴地域以外のユーザはＯＦＦに設定しておくようにする。
Ｓ／Ｎ受信設定部１５がＯＮに設定されていれば、ＢＳによって再送信されるセーフティネットのサービスをリモコンのワンタッチボタンの地上デジタルモードに割りあてるともに、電子番組表を表示させる際にセーフティネットの電子番組表を地上デジタルの番組として作成して表示させるようにする。また、Ｓ／Ｎ受信設定部がＯＦＦに設定されている場合には、難視聴地域ではないとして、従来通りの動作を行うものとする。
【００４４】
上述のごとき構成のテレビ装置１で実行される、本発明の主たる特徴であるワンタッチボタンへのセーフティサービスの割り当て処理及び電子番組表の作成表示処理について、説明する。
図２は、ＢＳデジタル放送における周波数割り当て表の時間的推移を示す図である。図２では、各時期においてトラポンに対応する伝送周波数（伝送チャンネル）毎に、“０ｘ・・・・”で示すＴＳ＿ｉｄの放送サービスが複数、提供されることを図示している。なお、“０ｘ”はその後に続く整数リテラル（ここでは４桁の数字）が１６進数表記であることを指す。周波数割り当て表３１の第１の伝送チャンネルで説明すると、第１の伝送チャンネルでは、ＴＳ＿ｉｄが“０ｘ４０１０”、及び“０ｘ４０１１”でそれぞれ示される２つのＴＳが存在することを図示している。１つのＴＳ内には、複数のサービスを入れることもできる。ここで、例えば、ＴＳ＿ｉｄ“０ｘ４０１０”において高精細テレビジョン放送（ハイビジョン放送）の場合には、サービスＩＤ“１５１”，“１５２”，及び“１５３”を用いて１つの放送サービスを提供し、標準放送の場合にはサービスＩＤ“１５１”，“１５２”，及び“１５３”とで３つの異なる放送サービスを提供することもできる。
【００４５】
また、図３は、ＢＳデジタル放送におけるトランスポートストリーム識別（ＴＳ＿ｉｄ）割り当て表を示す図で、ＢＳ／広帯域ＣＳデジタル放送運用規定 ＡＲＩＢ ＴＲ−Ｂ１５によるガイドラインを示すものである。ＴＳ＿ｉｄの１６ビット中のｂｉｔ（１１−９）の値は、ｂｉｔ（８）の値（＝０）と合わせて、図２における“０ｘ・・・・”の下３桁目の値に相当する。さらにｂｉｔ（１１−９）の値は、図３の割り当て表４０に示すように、２００８年以降に追加となった新規委託放送事業者のＴＳ＿ｉｄに対し、“００１”を初期値として、追加時期毎に１を順次加算された値が付されることになっている。
【００４６】
図２の周波数割り当て表３１に示すように、２００７年１２月１日には第９トラポンが現行方式でデジタル化され、第１，３，９，１３，１５の５つの伝送チャンネル３１ａがデジタル化された状態となっている。この５つの伝送チャンネル３１ａには、図３の表４０に基づき、ＴＳ＿ｉｄの１６ビット中のｂｉｔ（１１−９）の値が“０００”となっている。
【００４７】
また、周波数割り当て表３２に示すように、２０１０年３月には、難視聴対策のセーフティネットとして地上デジタル放送の再送信が第１７の伝送チャンネル３２ｂで開始される。この伝送チャンネル３２ｂには、表４０に基づきｂｉｔ（１１−９）の値が“００１”になる。ここでは、２０１０年に開始されるセーフティネットのサービスに対して、ｂｉｔ（１１−９）が“００１”となることが決まっている。
【００４８】
さらに周波数割り当て表３３に示すように、２０１１年には、２０１０年３月の段階ではアナログサービスが放送されていた第５、７，１７の伝送チャンネルがＢＳデジタル放送に切り替えられるとともに、２０１０年３月の段階で空き状態である第１９，２１，２３の伝送チャンネルで、ＢＳデジタル放送サービスが開始される。この伝送チャンネル３３ｃには、表４０に基づきｂｉｔ（１１−９）の値が、“００１”に１を加算した“０１０”になる。
【００４９】
このように、ＴＳ＿ｉｄのｂｉｔ（１１−９）が“００１”であるサービスは、地上デジタルの再送信であるセーフティネットのサービスに限られており、ＴＳ＿ｉｄのｂｉｔ（１１−９）の値が“００１”であるか否かにより、ＢＳデジタル放送のセーフティネットのサービスであるか否かを判別することができる。
【００５０】
図４は、セーフティネットのＴＳ＿ｉｄとサービスＩＤとの対応関係を説明するための図である。上記のように伝送された放送サービスのＴＳ＿ｉｄを確認し、そのｂｉｔ（１１−９）が“００１”であれば、セーフティネットによる地上デジタル放送の再送信サービスであることが判別できる。この場合、図４の例に示すように、ＴＳ＿ｉｄが“０ｘ４３１０”であれば、サービスＩＤは、２９１，２９２，２９４であり、ＴＳ＿ｉｄが“０ｘ４３１１”であれば、サービスＩＤは、２９５，２９６，２９７，２９８である。これら合計７つのサービスＩＤは、７つのキー局の地上波デジタル放送（関東）の再送信サービスとして定められている。
放送サービスの番号（ｓｅｒｖｉｃｅ＿ｉｄ）とＴＳ＿ｉｄの対応付けは、前述のＮＩＴに記載されており、取得したときに周波数情報と共に選局処理部１３へ保存すればよい。
【００５１】
図５は、本発明の実施形態によるリモコンへのセーフティネットの割り当て例を説明するための図で、受信モード（地上Ｄ，ＢＳ，ＣＳ）ごとにワンタッチボタンの番号（単タッチ番号）と、そのワンタッチボタンに割り当てたサービスＩＤとを示すものである。
上述したように、難視聴地域では地上デジタル（地上Ｄ）放送が受信できないため、従来のリモコンのワンタッチボタンには地上Ｄモードにおける割り当てサービスがない状態となる。また、ＢＳモードではすでにワンタッチボタンに対するサービスの割り当てが一杯になっていて、新たなサービスを割り当てることができない。
【００５２】
ここで本発明に係る実施形態では、図５に示すように、ＢＳで再送信されるセーフティネットの放送サービスを、割り当てが空いている地上Ｄのワンタッチボタンに割り当てる。つまり、セーフティネットによりＢＳによる地上デジタル放送の再送信が行われた場合には、セーフティネットのサービスをリモコンのＢＳモードではなく、地上Ｄモードのワンタッチボタンに割り当てるようにする。この結果、ＢＳモードのワンタッチボタンは、従来通りの１２種類の放送サービスの割り当てが維持され、かつ地上ＤモードにおいてセーフティネットのサービスＩＤ“２９１”，“２９２”，“２９４”〜“２９８”を割り当てることができる。ＢＳによる再送信は、実際には地上デジタル放送の番組を再送信するものであるため、ユーザは、違和感をもつことなく地上Ｄモードでワンタッチボタンの操作を行うことができるようになる。
【００５３】
上記のような割り当てを行うためには、セーフティネットのサービスであることを判定する条件が必要となるが、この条件としては、上記のように放送サービスのＴＳ＿ｉｄのｂｉt（１１−９）が“００１”である場合にはセーフティネットのサービスであり、それ以外の場合には、セーフティネットのサービスではないものと判定させるように定める。この判定は、デジタル放送受信機の選局処理部１３により実行される。
【００５４】
図６は、選局するための情報として使用されるＮＩＴの一例を示す図である。ＮＩＴは、上述のようにＰＳＩに含まれる。ＮＩＴには、ＴＳ＿ｉｄ（transport Stream id）,ネットワークＩＤ（original network id）,周波数（frequency），変調方式（modulation），サービスＩＤ（service id），サービスタイプなどを含む情報がＴＳ＿ｉｄごとに記載されている。
【００５５】
デジタル放送受信装置では、受信モードがＢＳのときにＮＩＴを受信した場合、ＮＩＴに含まれるＴＳ＿ｉｄのｂｉｔ（１１−９）を確認し、Ｂｉｔ（１１−９）が“００１”であれば、地上デジタルのサービスであると判断し、“００１”でなければＢＳのサービスであると判断する。
【００５６】
図７は、本発明のデジタル放送受信装置におけるネットワークの判定処理例を説明するためのフローチャートである。デジタル放送受信装置では、ユーザによってリモコンが操作させ、その制御信号を受信したときに、予め内部メモリに記憶した選局情報データベースの選局情報を参照し、その選局情報に従って特定のサービスＩＤの放送を選局する。図７のフローは、その選局情報データベースを作成するときに実行するネットワーク判定処理例を示すもので、デジタル放送受信装置のＳＮ受信設定部１５がＯＮに設定されているときの処理を示している。ＳＮ受信設定部１５がＯＦＦの場合には、難視聴地域ではないため、従来通り、図１３に示すようなフローで処理を行う。
【００５７】
図７において、デジタル放送受信装置では、まず受信した放送信号のＮＩＴから選局を行うための情報を取得する。ここで、放送サービスのネットワークＩＤ（ｎｅｔｗｏｒｋ＿ｉｄ）が“４”であるか否かを判別する（ステップＳ１）。ネットワークＩＤはＮＩＴに記載されているものであり、デジタル放送受信機の選局処理部１３では、受信した放送サービスのＮＩＴからネットワークＩＤを判別する。
【００５８】
ネットワークＩＤが“４”であれば、受信モードはＢＳであるが、ここで選局処理部１３では、さらにＴＳ＿ｉｄのｂｉｔ（１１−９）が“００１”かどうかを判別する（ステップＳ２）。ＴＳ＿ｉｄのｂｉｔ（１１−９）が“００１”でなければ、セーフティネットではない（つまり地上デジタル放送の再送信ではない）ＢＳ放送のサービスであり（ステップＳ３）、“００１”であれば、ＢＳで送信されたセーフティネットのサービス（つまり地上）であると判定できる（ステップＳ４）。
【００５９】
一方、ステップＳ１でネットワークＩＤが“４”でない場合には、選局処理部１３は、さらにネットワークＩＤが“６”または“７”であるかを判別する（ステップＳ５）。ここでネットワークＩＤが“６”または“７”であれば、ＣＳの放送サービスであり（ステップＳ６）、“６”または“７”でなければその放送サービスの受信モードは不明ということになる（ステップＳ７）。
【００６０】
図８は、デジタル放送受信装置で作成する選局情報の一例を示す図である。デジタル放送受信機の選局処理部１３は、上記のようなネットワークＩＤとＴＳ＿ｉｄとによるネットワーク判定により受信モードを判定すると、図８に示すような選局情報をテーブルにして作成し、内部メモリに選局情報データベースとして保存する。
選局情報には、サービスタイプ、サービスＩＤ（service id），ネットワークＩＤ（original network id），周波数（frequency），変調方式（modulation），ＴＳ＿ｉｄ（transport Stream id）などのＮＩＴから取得した情報が、受信モード別に分類されて記録される。
【００６１】
この場合、セーフティネットのサービスは、ＢＳにより再送信されるが、図７のサービス判定処理によって“地上”であると判定される。従って図８の選局情報においては、セーフティネットのサービス（サービスＩＤが“２９１”，“２９２”，“２９４”〜“２９８”）は、“地上”の受信モードに分類される。これにより選局情報内では、セーフティネットのサービスが“地上”に割り当てられることになる。この他、選局情報としては、図示しないＣＳの受信モードについても作成される。
【００６２】
図９は、本発明に係るデジタル放送受信装置の実施形態においてワンタッチボタンが操作されたときの処理例を説明するためのフローチャートである。デジタル放送受信装置の選局処理部１３は、リモコンのワンタッチボタンが操作されたときに、上記の選局情報を使用して、受信モードに応じたサービスの選局を行う。
ここでは、リモコンのワンタッチボタンのユーザによる操作に応じて、デジタル放送受信装置でワンタッチボタンの制御信号を受信すると、デジタル放送受信装置の選局処理部１３では、受信モードの読み込みを行う（ステップＳ１１）。受信モードは、ここでは地上Ｄ，ＢＳ，ＣＳのいずれかであり、デジタル放送受信装置では、リモコンで最後に操作された放送切り替えボタンの情報を記憶しておき、選局処理部１３は、その放送切り替えボタンに対応した受信モードを読み込む。
【００６３】
そして選局処理部１３は、ワンタッチボタンからサービスＩＤへの変換処理を行う（ステップＳ１２）。これは、リモコンから送信されたワンタッチボタンの信号を、そのワンタッチボタンに対応したサービスを選局するためのサービスＩＤに変換する処理である。その後選局処理部１３は、変換したサービスＩＤを使用して、ワンタッチボタンに対応したサービスの選局処理を行う（ステップＳ１３）。
【００６４】
図１０は、ワンタッチボタンからサービスＩＤへの変換処理例をより詳細に説明するためのフローチャートで、図９のステップＳ１２における変換処理をより具体的に示すものである。デジタル放送受信装置の選局処理部１３が現在の受信モードを読み込んだ後、その受信モードがＢＳであれば（ステップＳ２１−Ｙｅｓ）、ＢＳテーブルにて変換を行う（ステップＳ２２）。ＢＳテーブルは、図５に示すごとくの３つのテーブルのうちのＢＳモードのテーブルであり、選局処理部１３では、このＢＳテーブルを使用して、ワンタッチボタンの番号をＢＳのサービスＩＤに変換する。
【００６５】
受信モードがＢＳではなく（ステップＳ２１−Ｎｏ）、ＣＳであった場合（ステップＳ２３−Ｙｅｓ）、選局処理部１３では、ＣＳテーブルにて変換を行う（ステップＳ２４）。ＣＳテーブルは、図５に示す３つのテーブルのうちのＣＳモードのテーブルであり、選局処理部１３では、このＣＳテーブルを使用して、ワンタッチボタンの番号をＣＳのサービスＩＤに変換する。
【００６６】
さらに受信モードがＣＳではなく（ステップＳ２３−Ｎｏ）、地上デジタル（地上Ｄ）であった場合（ステップＳ２５−Ｙｅｓ）、選局処理部１３では、地上Ｄテーブルにて変換を行う（ステップＳ２６）。地上Ｄテーブルは、図５に示す３つのテーブルのうちの地上Ｄモードのテーブルであり、選局処理部１３では、この地上Ｄテーブルを使用して、ワンタッチボタンの番号を地上デジタルのサービスＩＤに変換する。
また受信モードが地上Ｄでもない場合には（ステップＳ２５−Ｎｏ）、該当なしとしてサービスＩＤへの変換は行うことができない。
【００６７】
上記のような処理によって、リモコンワンタッチボタンに対応したサービスＩＤが得られる。そして選局処理部１３では、図８に示した選局情報データベースを参照し、サービスＩＤに応じた選局情報を使用して選局を行う。
例えば、現在の受信モードが地上Ｄであり、ユーザに操作されたワンタッチボタンの番号が“４”であった場合、地上Ｄの変換テーブルからサービスＩＤとして“２９４”が得られる。選局処理部１３は、そのサービスＩＤに従って、図８に示す選局情報のテーブルからサービスＩＤ“２９４”の選局情報を使用して選局処理を行う。つまりこの場合は、地上Ｄモードでワンタッチボタン“４”をユーザが操作することにより、リモコンの地上Ｄモードのワンタッチボタンに割り当てられているセーフティネットの”２９４“を選局することが可能となる。
【００６８】
図１１は、本発明のデジタル放送受信装置で電子番組表を表示させる際の処理の一例を説明するためのフローチャートである。
本発明に係るデジタル放送受信装置の実施形態では、ＢＳにて再送信されるセーフティネットの電子番組表（ＥＰＧ）を表示する場合に、セーフティネットで送信されるサービスのＥＰＧを地上デジタルの番組として表示することができる。
【００６９】
ユーザがリモコンによりＥＰＧを表示させる操作を行った際に、デジタル放送受信装置では、ＥＰＧ情報処理部１４がその制御信号を受けて選局情報デーベース（ＤＢ）を参照し、該当する受信モードの全てのサービスＩＤを読み出す（ステップＳ３１）。選局情報ＤＢは、上記図８に示すような選局情報を保持している。  
ＥＰＧは、デジタル放送を受信中にリモコンのＥＰＧボタンを操作することにより、画面に表示させることができる。この場合、上記の該当する受信モードとは、受信中のデジタル放送の受信モードとなる。また、ＥＰＧを表示させる受信モードは、リモコンの放送切り替えボタンを操作することにより切り替えることができる。この場合には、切り替えられた受信モードが上記の該当する受信モードとなる。
【００７０】
そして、ＥＰＧ情報処理部１４は、内部メモリに格納されたＥＰＧ  ＤＢから、ステップＳ３１で読み出したサービスＩＤに対応する番組情報（個別のＥＰＧデータ）を読み出し（ステップＳ３２）、ＥＰＧを表示させる（ステップＳ３３）。そして、ステップＳ３１で読み出した全てのサービスの処理が終了したならば（ステップＳ３４−Ｙｅｓ）、処理を終了し、終了していなければ（ステップＳ３４―Ｎｏ）、ステップＳ３２に戻ってＥＰＧデータの読み出しを続行する。
【００７１】
この場合、セーフティネットのサービスは、図８に示す選局情報において地上の受信モードに割り当てられているため、受信モードが地上である場合や、放送切り替えボタンにより地上に切り替えられた場合には、地上デジタル放送のＥＰＧとしてセーフティモードのＥＰＧ情報を表示させることができるようになる。
つまり、難視聴地域で受信モードが地上である場合には、ステップＳ３１でセーフティネットのサービスＩＤ“２９１”，“２９２”，“２９４”〜“２９８”を読み出し、ステップＳ３２でそのサービスＩＤに対応したセーフティネットのＥＰＧデータを読み出して、地上Ｄの受信モードとしてＥＰＧデータを表示させることができる。これにより、ユーザは、ＢＳによる再送信であっても、地上デジタル放送として電子番組表を利用することができ、操作性を改善させることができる。
【図面の簡単な説明】
【００７２】
【図１】本発明の一実施形態に係るテレビ装置の一構成例を示すブロック図である。
【図２】ＢＳデジタル放送における周波数割り当て表の時間的推移を示す図である。
【図３】ＢＳデジタル放送におけるトランスポートストリーム識別（ＴＳ＿ｉｄ）割り当て表を示す図である。
【図４】セーフティネットのＴＳ＿ｉｄとサービスＩＤとの対応関係を説明するための図である。
【図５】本発明の実施形態によるリモコンへのセーフティネットの割り当て例を説明するための図である。
【図６】選局するための情報として使用されるＮＩＴの一例を示す図である。
【図７】本発明のデジタル放送受信装置におけるネットワークの判定処理例を説明するためのフローチャートである。
【図８】デジタル放送受信装置で作成する選局情報の一例を示す図である。
【図９】本発明に係るデジタル放送受信装置の実施形態においてワンタッチボタンが操作されたときの処理例を説明するためのフローチャートである。
【図１０】ワンタッチボタンからサービスＩＤへの変換処理例をより詳細に説明するためのフローチャートである。
【図１１】本発明のデジタル放送受信装置で電子番組表を表示させる際の処理の一例を説明するためのフローチャートである。
【図１２】リモコンの操作ボタンの例を概略的に示す図である。
【図１３】従来のデジタル放送受信装置におけるネットワークの判定処理例を説明するためのフローチャートである。
【図１４】従来のワンタッチボタンへの放送サービスの割り当て例を示す図である。
【符号の説明】
【００７３】
１…テレビ装置、１０…リモコン、１０ａ…ワンタッチボタン、１０ｂ…放送切り替えボタン、１０ｃ…電源ボタン、１０ｄ…方向ボタン、１０ｅ…決定ボタン、１１…キー入力処理部、１２…メニュー処理部、１３…選局処理部、１４…ＥＰＧ情報処理部、１５…Ｎ受信設定部、１６…チューナ、１７…ＤＥＭＵＸ、１８…映像音声処理部、１９…映像出力部、２０…音声出力部、３１ａ…伝送チャンネル、３２ｂ…伝送チャンネル、３３ｃ…伝送チャンネル。
【図１】
2010130640.tif 000003
【図２】
2010130640.tif 000004
【図３】
2010130640.tif 000005
【図４】
2010130640.tif 000006
【図５】
2010130640.tif 000007
【図６】
2010130640.tif 000008
【図７】
2010130640.tif 000009
【図８】
2010130640.tif 000010
【図９】
2010130640.tif 000011
【図１０】
2010130640.tif 000012
【図１１】
2010130640.tif 000013
【図１２】
2010130640.tif 000014
【図１３】
2010130640.tif 000015
【図１４】
2010130640.tif 000016